(57)【要約】【課題】床置き式の大便器を床面に設置する施工作業を容易に行うことができる便器施工用補助部材及び便器梱包用箱を提供する。【解決手段】本発明の便器施工用補助部材１は、底トレイ６と、補助トレイ８と、支持部材１０，１２と、補助トレイ及び便器本体を移動可能にするスライド用部材１４，１６と、を有し、便器本体2ａが床面Ｆに設置されるまでの施工状態は、便器本体の底面後方部が底面前方部よりも高くなるような傾斜状態で補助トレイが支持部材により支持された第１施工状態Ｓ１と、この第１施工状態後スライド用部材を用いて便器側排出口２ｄと床側排水口Ｄ１とが接続可能な接続位置Ｐ１まで補助トレイが移動された第２施工状態Ｓ３と、この第２施工状態後補助トレイに対して支持部材が取り外されて便器側排出口が床側排水口に接続された第３施工状態Ｓ５と、を有する。【選択図】図１０
2018079955.tif 000002
【特許請求の範囲】
【請求項１】
床置き式の大便器の搬送及び施工を補助する便器施工用補助部材であって、
底部を備えた底トレイと、
この底トレイの上方に設けられて、便器本体の底面を支持する底部と、この底部の左右両側から上記便器本体の側方付近まで立ち上がり可能な側壁部と、を備えた補助トレイと、
上記底トレイと上記補助トレイとの間に取り外し可能に設けられて、上記補助トレイを支持可能にする支持部材と、
上記底トレイと上記支持部材との間に設けられて、上記補助トレイにより支持された上記便器本体をその水平前後方向に移動可能にするスライド用部材と、を有し、
上記便器本体には、床面よりも上方に位置する床側排水口に接続される便器側排出口が下方に差し向けられるように形成されており、
上記便器本体が床面に設置されるまでの施工状態は、上記便器本体の底面後方部が底面前方部よりも高くなるような傾斜状態で上記補助トレイが上記支持部材により支持された第１施工状態と、この第１施工状態後上記スライド用部材を用いて上記便器側排出口と上記床側排水口とが接続可能な接続位置まで上記便器本体及び上記補助トレイが移動された第２施工状態と、この第２施工状態後上記補助トレイに対して上記支持部材が取り外されて上記便器側排出口が上記床側排水口に接続された第３施工状態と、を有することを特徴とする便器施工用補助部材。
【請求項２】
上記補助トレイは、さらに、その左右の側壁部の後方側領域にそれぞれ設けられた把持部と、上記補助トレイの底部の前方側領域に設けられて上記把持部を把持した状態で引き上げることにより上記傾斜状態まで揺動可能にする支点部と、を備えている請求項１記載の便器施工用補助部材。
【請求項３】
上記支持部材は、上記補助トレイの底部に取り外し可能に取り付けられる上脚部と、この上脚部の下端部に上下方向に回動可能に連結される下脚部と、を備えており、
上記支持部材は、上記第１施工状態前においては、上記下脚部が上記上脚部と重なるように上記上脚部の下端部から上方に回動して折り曲げられた状態で、水平姿勢の上記便器本体の底面を支持する上記補助トレイの底部を支持するものであり、
上記支持部材は、さらに、上記第１施工状態で上記把持部が把持されて上記補助トレイが上記傾斜状態まで引き上げられることにより上記便器本体の上記便器側排出口が上記床側排水口よりも高い位置になったときに、上記下脚部が自重により上記上脚部に対して下方に回動して立脚した状態で上記第２施工状態まで上記補助トレイを支持するものである請求項２記載の便器施工用補助部材。
【請求項４】
上記スライド用部材は、上記底トレイの上面に配置される下側板部材と、この下側板部材の上面に対して前後方向に摺動可能に配置される中間板部材と、この中間板部材の上面に対して前後方向に摺動可能に配置されると共に上記補助トレイの底部の一部を支持する上側板部材と、を備えており、
上記中間板部材は、上記下側板部材及び上記上側板部材のそれぞれよりも平滑に形成されている請求項１記載の便器施工用補助部材。
【請求項５】
上記スライド用部材は、その軸方向が上記底トレイの左右方向に延びるように配置された円筒状の管部材であり、この管部材は、上記底トレイ内の底部に沿って回転することにより上記補助トレイ及び上記便器本体を前後方向に移動可能にするものである請求項１乃至３の何れか１項に記載の便器施工用補助部材。
【請求項６】
上記底トレイは、基部トレイと、この基部トレイの前後方向の少なくとも一方側から着脱可能に設けられた着脱トレイと、を備えており、上記底トレイの底部の前後方向の長さは、上記着脱トレイが上記基部トレイに対して取り外されることにより調整可能である請求項１乃至５の何れか１項に記載の便器施工用補助部材。
【請求項７】
上記補助トレイは、その底部に設けられて上記上脚部の上部が係合解除可能に取り付けられる取付部と、この取付部に設けられて上記第２施工状態後に上記取付部と上記上脚部との係合解除が手動操作可能な係合解除操作部と、を備えており、
上記支持部材は、上記第２施工状態後、上記係合解除操作部の手動操作により上記補助トレイの取付部と上記上脚部の上部との係合が解除された状態において、上記補助トレイの底部の後方側領域が上記補助トレイの支点部を中心に上記接続位置の高さよりもさらに引き上げられることにより上記上脚部が上記取付部から脱落するものであり、
上記支持部材は、上記取付部から脱落後、自重により上記底トレイの外側へ倒れ込むことにより外部に取り外された離脱状態となり、この離脱状態後、上記補助トレイの引き上げが解放されると、上記便器側排出口は、上記便器本体の自重により押し下げられて上記床側排水口に接続された上記第３施工状態となる請求項１乃至６の何れか１項に記載の便器施工用補助部材。
【請求項８】
上記補助トレイは、上記第２施工状態で上記補助トレイが上記接続位置まで移動される際に、上記床側排水口を形成する排水管部材に対して前方側から当接することにより上記補助トレイ上の上記便器本体の上記便器側排出口を上記床側排水口に接続可能な位置に位置決め可能にする位置決め部を備えている請求項１乃至７の何れか１項に記載の便器施工用補助部材。
【請求項９】
上記補助トレイは、その左右の側壁部の少なくとも一方の内側面において、上記便器本体の施工時における上記便器施工用補助部材の各部の取扱い手順に関する文書又はイラストを含む説明が付されている請求項１乃至８の何れか１項に記載の便器施工用補助部材。
【請求項１０】
床置き式の大便器を梱包する便器梱包用箱であって、
上記床置き式の大便器を梱包する梱包材の一部として上記請求項１乃至９の何れか１項に記載の便器施工用補助部材を備えていることを特徴とする便器梱包用箱。
【発明の詳細な説明】
【技術分野】
【０００１】
本発明は、便器施工用補助部材及び便器梱包用箱に係り、特に、床置き式の大便器の搬送及び施工を補助する便器施工用補助部材及び便器梱包用箱に関する。
【背景技術】
【０００２】
従来から、便器を梱包する梱包箱として、例えば、特許文献１に記載されているように、便器の後面が設置場所の壁面に取り付けられる、いわゆる、「壁掛け式の大便器」を梱包するものが知られている。
このような特許文献１に記載されている従来の梱包箱においては、壁掛け式の大便器を設置場所に設置する際に、梱包箱内の底面上に配置されて便器の底面を覆うトレイについて、便器の後面が設置場所の壁面に当接するまで便器と共に梱包箱内の底面上をスライドさせることにより、便器を持ち上げることなく施工することができると共に、設置場所の床面の傷つきを抑制することができるようになっている。
また、特許文献２には、便器の底面が設置場所の床面に取り付けられる、いわゆる、過重で手掛け部分の乏しい「床置き式の大便器」を施工場所に運搬させて位置決めすることを補助する便器補助部材についても知られている。
【先行技術文献】
【特許文献】
【０００３】
【特許文献１】特許第５４０３２１６号公報（特開２０１０−１１１４２８号公報）
【特許文献２】特開２０１５−１０３１６号公報
【発明の概要】
【発明が解決しようとする課題】
【０００４】
さらに、近年の水洗大便器のデザインの多様化に伴って、意匠性の高い滑らかな曲面からなる外観を有する床置き式の陶器製便器のニーズが高まりつつあるが、このような意匠性の高い床置き式の陶器製の便器を設置場所の床面に設置する施工の際には、便器本体の下方に差し向けられている便器側排出口について、床面よりも上方に位置する床側排水口に接続しなければならないため、便器側排出口が床側排水口に接続される前の施工途中において、少なくとも便器側排出口の高さ位置が床側排水口の高さ位置よりも高くなるように便器本体を持ち上げる作業が必要となる。
しかしながら、このような意匠性の高い床置き式の陶器製便器において、上述した特許文献１に記載されている壁掛け式の大便器用の梱包箱を適用した場合には、この梱包箱がそもそも施工時に便器を持ち上げることなく、トレイごとスライドさせることが前提であり、施工時に便器側排出口の高さ位置が床側排水口の高さ位置よりも高くなるように床置き式の大便器を持ち上げる作業について何ら配慮がなされていないため、返って施工作業の効率の低下を招くおそれがあるという問題がある。
また、上述した特許文献２に記載されている便器補助部材を意匠性の高い床置き式の陶器製便器に適用した場合には、このような床置き式の陶器製便器が、設計仕様によっては、例えば、外形が比較的大きく、５０ｋｇ〜６０ｋｇ程度の比較的重い重量であることに加えて、便器本体の外観面が上下方向の中間部付近から下方に向かって窄まる滑らかな曲面形状であるため、未施工の便器を設置場所まで搬送する際には、便器本体の外面自体に手を掛けたりする箇所（把持部等）がなく、表面が滑り易いため、施工時に便器本体を持ち上げる作業負担も大きいという問題がある。さらに、施工手順を間違って一旦床面に配置してしまうと、配置のやり直しが難しい場合や、便器施工用補助部材の撤去が困難になる場合もあるため、施工作業の効率低下につながるという問題もある。
また、特に、上述した意匠性の高い滑らかな曲面からなる外観を有する床置き式の陶器製便器の便器本体の後方側においては、使用者の局部を洗浄する衛生洗浄部や便器本体への給水機能に関与する給水系機能部等の機能部等が設けられているが、施工時にこれらの機能部を誤って手で押し出したり、引き上げようとしたりした場合に、機能部を破損させてしまうおそれもあるという問題がある。
したがって、床置き式の大便器を床面に設置する施工作業について、いかに作業負担を軽減して、施工作業を容易に行うかが従来から要請された課題となっている。
【０００５】
そこで、本発明は、上述した従来技術の問題や課題を解決するためになされたものであり、床置き式の大便器を床面に設置する施工作業を容易に行うことができる便器施工用補助部材及び便器梱包用箱を提供することを目的としている。
【課題を解決するための手段】
【０００６】
上述した課題を解決するために、本発明は、床置き式の大便器の搬送及び施工を補助する便器施工用補助部材であって、底部を備えた底トレイと、この底トレイの上方に設けられて、便器本体の底面を支持する底部と、この底部の左右両側から上記便器本体の側方付近まで立ち上がり可能な側壁部と、を備えた補助トレイと、上記底トレイと上記補助トレイとの間に取り外し可能に設けられて、上記補助トレイを支持可能にする支持部材と、上記底トレイと上記支持部材との間に設けられて、上記補助トレイにより支持された上記便器本体をその水平前後方向に移動可能にするスライド用部材と、を有し、上記便器本体には、床面よりも上方に位置する床側排水口に接続される便器側排出口が下方に差し向けられるように形成されており、上記便器本体が床面に設置されるまでの施工状態は、上記便器本体の底面後方部が底面前方部よりも高くなるような傾斜状態で上記補助トレイが上記支持部材により支持された第１施工状態と、この第１施工状態後上記スライド用部材を用いて上記便器側排出口と上記床側排水口とが接続可能な接続位置まで上記便器本体及び上記補助トレイが移動された第２施工状態と、この第２施工状態後上記補助トレイに対して上記支持部材が取り外されて上記便器側排出口が上記床側排水口に接続された第３施工状態と、を有することを特徴としている。
このように構成された本発明においては、まず、床置き式の大便器を設置場所の床面に設置する際には、底トレイの底部上に、下側から順に、スライド用部材、支持部材、補助トレイ、便器本体を配置した状態で、施工者は、底トレイを把持して設置場所まで搬送することにより、便器施工用補助部材の各部材と便器本体を一体で設置場所まで搬送することができる。
つぎに、施工者は、これらの便器施工用補助部材の各部材と便器本体を一体で設置場所まで搬送した後、便器本体を床面に設置する施工を開始する前の状態においては、まず、これらの便器施工用補助部材の各部材と便器本体を一体のままで底トレイを床面上に配置する。このとき、便器本体の便器側排出口は、床側排水口よりも前方に位置している。
そして、施工者は、便器本体の底面後方部が底面前方部よりも高くなる傾斜状態になるように補助トレイの左右の側壁部を持ち上げると、支持部材がこれらの傾斜状態の補助トレイ及び便器本体を支持している第１施工状態に容易に設定することができる。
また、この傾斜状態では、便器本体が補助トレイを介して支持部材によって支持されているため、便器本体に下方に差し向けられるように形成されている便器側排出口の高さ位置について、床面よりも上方に位置する床側排水口の高さ位置よりも容易に高くすることができる。
つぎに、施工者は、補助トレイ及び便器本体を傾斜させたままの状態で、これらの補助トレイ及び便器本体を底トレイに対して後方側に押し込むと、支持部材及びスライド用部材が底トレイに沿ってガイドされながらスライド用部材の移動によって後方に容易に移動することができ、便器側排出口と床側排水口とが接続可能な接続位置まで移動した第２施工状態に容易に設定することができる。
そして、この第２施工状態後、支持部材が取り外されると、便器側排出口が便器本体の自重と共に押し下げられて、床側排水口に接続された第３施工状態に容易に設定することができ、便器本体を床面に設置する施工を完了させることができる。
これらの結果、床置き式の大便器を床面に設置する施工を行う際には、例えば、外形が比較的大きく重量がある陶器製の便器本体であっても、第１施工状態から第３施工状態までの施工状態に容易に設定することができるため、便器本体を持ち上げる作業負担を可能な限り軽減することができ、施工作業を容易に行うことができる。
【０００７】
本発明において、好ましくは、上記補助トレイは、さらに、その左右の側壁部の後方側領域にそれぞれ設けられた把持部と、上記補助トレイの底部の前方側領域に設けられて上記把持部を把持した状態で引き上げることにより上記傾斜状態まで揺動可能にする支点部と、を備えている。
このように構成された本発明においては、第１施工状態で補助トレイの左右の側壁部の後方側領域にそれぞれ設けられた把持部、及び、補助トレイの底部の前方側領域に設けられて把持部を把持した状態で引き上げることにより傾斜状態まで揺動可能にする支点部により、施工者は、施工開始時に補助トレイの左右の側壁部の把持部を把持して側壁部を容易に持ち上げることができると共に、補助トレイ及び便器本体について支点部を中心に容易に揺動させることができるため、便器本体の底面後方部が底面前方部よりも高くなる傾斜状態に容易に設定することができる。
したがって、便器本体の底面後方部が底面前方部よりも高くなるような傾斜状態で補助トレイが支持部材により支持された状態についても容易に設定することができるため、便器本体を持ち上げる作業負担を軽減することができ、施工作業を容易に行うことができる。
【０００８】
本発明において、好ましくは、上記支持部材は、上記補助トレイの底部に取り外し可能に取り付けられる上脚部と、この上脚部の下端部に上下方向に回動可能に連結される下脚部と、を備えており、上記支持部材は、上記第１施工状態前においては、上記下脚部が上記上脚部と重なるように上記上脚部の下端部から上方に回動して折り曲げられた状態で、水平姿勢の上記便器本体の底面を支持する上記補助トレイの底部を支持するものであり、上記支持部材は、さらに、上記第１施工状態で上記把持部が把持されて上記補助トレイが上記傾斜状態まで引き上げられることにより上記便器本体の上記便器側排出口が上記床側排水口よりも高い位置になったときに、上記下脚部が自重により上記上脚部に対して下方に回動して立脚した状態で上記第２施工状態まで上記補助トレイを支持するものである。
このように構成された本発明においては、施工開始前の状態においては、支持部材の下脚部が上脚部と重なるように上脚部の下端部から上方に回動して折り曲げられた状態で、水平姿勢の便器本体の底面を支持する補助トレイの底部について支持部材の上脚部及び下脚部のそれぞれで支持することができる。
また、施工者は、第１施工状態で補助トレイの把持部を把持して補助トレイを傾斜状態まで引き上げることにより便器本体の便器側排出口が床側排水口よりも高い位置になったときには、支持部材の下脚部を自重により上脚部に対して下方に回動させて何ら外部から操作されることなく容易に立脚した状態に設定することができる。
したがって、第１施工状態から第２施工状態までの状態において、支持部材により補助トレイ及び便器本体を支持しながら傾斜状態を容易に維持することができるため、補助トレイ及び便器本体を持ち上げて傾斜状態にする作業負担を軽減することができる。
【０００９】
本発明において、好ましくは、上記スライド用部材は、上記底トレイの上面に配置される下側板部材と、この下側板部材の上面に対して前後方向に摺動可能に配置される中間板部材と、この中間板部材の上面に対して前後方向に摺動可能に配置されると共に上記補助トレイの底部の一部を支持する上側板部材と、を備えており、上記中間板部材は、上記下側板部材及び上記上側板部材のそれぞれよりも平滑に形成されている。
このように構成された本発明においては、スライド用部材の中間板部材が、下側板部材及び上側板部材のそれぞれよりも平滑に形成されていることにより、第１施工状態後から第２施工状態まで、施工者が補助トレイ及び便器本体を傾斜させたままの状態で後方側に押し込んだ際、補助トレイの底部の一部及び支持部材を支持している上側板部材に対して後方側に移動させる力が作用し、この上側板部材が、その下方の平滑な中間板部材に対して後方側に滑動することができる。
したがって、施工者は、施工中の補助トレイ及び便器本体を後方側に押し込むだけで、補助トレイ及び便器本体を支持する支持部材及びスライド用部材について底トレイの側壁部に沿ってガイドさせながら補助トレイ及び便器本体を便器側排出口と床側排水口とが接続可能な接続位置まで容易に移動させることでき、第２施工状態に容易に設定することができるため、施工作業の負担を軽減することができる。
【００１０】
本発明において、好ましくは、上記スライド用部材は、その軸方向が上記底トレイの左右方向に延びるように配置された円筒状の管部材であり、この管部材は、上記底トレイ内の底部に沿って回転することにより上記補助トレイ及び上記便器本体を前後方向に移動可能にするものである。
このように構成された本発明においては、スライド用部材の円筒状の管部材について、その軸方向が底トレイの左右方向に延びるように配置されており、この管部材を底トレイ内の底部に沿って回転させながら補助トレイ及び便器本体を前後方向に移動可能であることにより、施工者は、第１施工状態後、例えば、補助トレイ及び便器本体を後方側に押し込むだけで、スライド用部材である管部材が、底トレイの底部と補助トレイの底部との間で底トレイの側壁部に沿ってガイドされながら後方側に転がることができるため、補助トレイ及び便器本体と共に後方側に移動することができる。
したがって、補助トレイ及び便器本体を便器側排出口と床側排水口とが接続可能な接続位置まで容易に移動させることできるため、施工作業の負担を軽減することができる。
【００１１】
本発明において、好ましくは、上記底トレイは、基部トレイと、この基部トレイの前後方向の少なくとも一方側から着脱可能に設けられた着脱トレイと、を備えており、上記底トレイの底部の前後方向の長さは、上記着脱トレイが上記基部トレイに対して取り外されることにより調整可能である。
このように構成された本発明においては、底トレイが、下側に配置される基部トレイと、この基部トレイの前後方向の少なくとも一方側から着脱可能に設けられた着脱トレイとを備えているため、着脱トレイを基部トレイに対して取り外すことにより、底トレイが床側排水口にアクセスし易くなるように、底トレイの底部の前後方向の長さを調整することができる。
したがって、施工者は、便器本体を床面に設置する際に、底トレイを設置場所の周辺の床面上に配置した後、便器本体を所定の設置スペース（例えば、トイレ室内等）内にアクセスさせようとしたときに、例えば、便器本体の設置スペースの間取りが狭い場合や設置スペースに対して前方が塞がれているために、側方のみからしかアクセスできない場合等、設置スペースの状況に応じて適宜着脱トレイを取り外すことにより底トレイの底部の前後方向の長さを容易に調整することができるため、便器本体及び補助トレイを底トレイと共に設置スペース内に容易にアクセスさせることができる。
よって、底トレイが便器本体の設置スペースへのアクセスの妨げになることを防ぐことができるため、施工作業の負担を軽減することができる。
【００１２】
本発明において、好ましくは、上記補助トレイは、その底部に設けられて上記上脚部の上部が係合解除可能に取り付けられる取付部と、この取付部に設けられて上記第２施工状態後に上記取付部と上記上脚部との係合解除が手動操作可能な係合解除操作部と、を備えており、上記支持部材は、上記第２施工状態後、上記係合解除操作部の手動操作により上記補助トレイの取付部と上記上脚部の上部との係合が解除された状態において、上記補助トレイの底部の後方側領域が上記補助トレイの支点部を中心に上記接続位置の高さよりもさらに引き上げられることにより上記上脚部が上記取付部から脱落するものであり、上記支持部材は、上記取付部から脱落後、自重により上記底トレイの外側へ倒れ込むことにより外部に取り外された離脱状態となり、この離脱状態後、上記補助トレイの引き上げが解放されると、上記便器側排出口は、上記便器本体の自重により押し下げられて上記床側排水口に接続された上記第３施工状態となる。
このように構成された本発明においては、補助トレイは、その底部に設けられて支持部材の上脚部の上部が係合解除可能に取り付けられる取付部と、この取付部に設けられて第２施工状態後に補助トレイの取付部と上脚部との係合解除が手動操作可能な係合解除操作部とを備えているため、施工者は、第２施工状態後、補助トレイの取付部と支持部材の上脚部の上部との係合解除を係合解除操作部の手動操作により容易に行うことができる。
また、補助トレイの取付部と支持部材の上脚部の上部との係合が解除された状態においては、補助トレイの底部の後方側領域が補助トレイの支点部を中心に便器側排出口と床側排水口との接続位置の高さよりもさらに引き上げられることにより支持部材の上脚部を補助トレイの取付部から脱落させることができる。
さらに、補助トレイの取付部から脱落後の支持部材は、その自重により補助トレイの外側へ倒れ込むことにより外部に取り外された離脱状態となるため、施工者が支持部材に対して直接手で触れることなく、容易に支持部材を取り外すことができる。
また、支持部材の離脱状態後、施工者が補助トレイの引き上げを解放すると、便器本体の自重により便器側排出口を床側排水口に向けて容易に押し下げることができるため、便器側排出口が床側排水口に接続された第３施工状態に容易に設定することができる。
したがって、第２施工状態の後、第３施工状態までの施工状態において、支持部材を取り外す作業や便器側排出口を床側排水口に接続する作業を容易に行うことができるため、施工作業の負担を軽減することができる。
【００１３】
本発明において、好ましくは、上記補助トレイは、上記第２施工状態で上記補助トレイが上記接続位置まで移動される際に、上記床側排水口を形成する排水管部材に対して前方側から当接することにより上記補助トレイ上の上記便器本体の上記便器側排出口を上記床側排水口に接続可能な位置に位置決め可能にする位置決め部を備えている。
このように構成された本発明においては、施工者は、上述した第２施工状態において補助トレイを便器側排出口と床側排水口との接続位置まで移動させた際に、床側排水口を形成する排水管部材に対して補助トレイの位置決め部を前方側から当接させるだけで、補助トレイ上の便器本体の便器側排出口について床側排水口に接続可能な位置に容易に位置決めすることができる。
したがって、補助トレイ上の便器本体よりも上方の施工者から床側排水口と便器本体の便器側排出口との接続状況が見え難くても、床側排水口を形成する排水管部材に対して補助トレイの位置決め部を前方側から当接させるだけで互いの位置合わせを容易に行うことができるため、施工作業の負担を軽減することができる。
【００１４】
本発明において、好ましくは、上記補助トレイは、その左右の側壁部の少なくとも一方の内側面において、上記便器本体の施工時における上記便器施工用補助部材の各部の取扱い手順に関する文書又はイラストを含む説明が付されている。
このように構成された本発明においては、便器本体を床面に設置する前に底トレイを設置場所の床面に配置した後、補助トレイの左右の側壁部を外側に展開した際、左右の側壁部の少なくとも一方の内側面に付されている便器施工用補助部材の各部の取扱い手順に関する文書又はイラストを含む説明について、施工者の目に付き易くすることができる。
したがって、便器本体を床面に設置する際に、施工者に正しい施工手順を促すことができるため、施工手順が無視されたり、施工手順が間違えられたりするミスを未然に防ぐことができ、施工作業を確実に且つ速やかに行うことができる。
【００１５】
また、本発明は、床置き式の大便器を梱包する便器梱包用箱であって、上記床置き式の大便器を梱包する梱包材の一部として上記請求項１乃至９の何れか１項に記載の便器施工用補助部材を備えていることを特徴としている。
このように構成された本発明においては、床置き式の大便器を梱包する梱包材の一部として上述した便器施工用補助部材を備えていることにより、床置き式の大便器を設置場所まで搬送する際には、安定した搬送作業を補助することができると共に、搬送後の便器本体を設置場所の床面に設置する施工作業についても容易に行うことができる便器梱包用箱を提供することができる。
【発明の効果】
【００１６】
本発明の便器施工用補助部材及び便器梱包用箱によれば、床置き式の大便器を床面に設置する施工作業を容易に行うことができる。
【図面の簡単な説明】
【００１７】
【図１】本発明の第１実施形態による便器施工用補助部材の右側面図であり、梱包箱の外装材が取り外された未施工の床置き式の水洗大便器が便器施工用補助部材に配置された状態を示す。
【図２】本発明の第１実施形態による便器施工用補助部材の背面図であり、梱包箱の外装材が取り外された未施工の床置き式の水洗大便器が便器施工用補助部材に配置された状態を示す。
【図３】本発明の第１実施形態による便器施工用補助部材の底トレイの分解斜視図である。
【図４】本発明の第１実施形態による便器施工用補助部材の補助トレイの組立前の状態を上から見た展開図（平面図）である。
【図５】本発明の第１実施形態による便器施工用補助部材の補助トレイを斜め前方且つ下方から見た斜視図である。
【図６】本発明の第１実施形態による便器施工用補助部材の左側支持部材について後方斜め上方から見た斜視図である。
【図７】本発明の第１実施形態による便器施工用補助部材の右側支持部材について後方斜め上方から見た斜視図である。
【図８】本発明の第１実施形態による便器施工用補助部材の左側支持部材の上脚部の上部が補助トレイの取付部に取り付けられた状態について前方斜め上方から見た部分拡大斜視図である。
【図９】本発明の第１実施形態による便器施工用補助部材における施工開始前状態の左側支持部材の左側面部分を拡大した部分拡大左側面図であり、補助トレイが施工時に引き上げられていない状態で支持部材の下脚部が上脚部の下端部で折り曲げられた状態を示す。
【図１０】図１０の（Ａ）〜（Ｈ）は、本発明の第１実施形態による便器施工用補助部材を用いて床置き式の水洗大便器を設置場所の床面に設置する施工が開始される前の状態から施工が完了されるまでのいくつかの施工状態について、時系列の順に概略的に説明した図である。
【図１１】本発明の第１実施形態による便器施工用補助部材の底トレイ、スライド用部材、支持部材、補助トレイ、及び、これらに支持された水洗大便器について斜め後方且つ上方から見た部分拡大斜視図であり、補助トレイが施工開始時に引き上げられて傾斜したときに支持部材の下脚部が立脚した状態を示す。
【図１２】本発明の第１実施形態による便器施工用補助部材の床トレイ及び補助トレイの平面図であり、施工時に補助トレイを後方に移動させる前後の状態（便器側排水口と床側排水口とを接続位置に位置合わせする前後の状態）を示す。
【図１３】本発明の第１実施形態による便器施工用補助部材の補助トレイの左側取付部の係合／係合解除操作板を手動操作して係合解除した状態について、斜め後方且つ上方から見た斜視図である。
【図１４】図１４の（Ａ）〜（Ｈ）は、本発明の第２実施形態による便器施工用補助部材を用いて床置き式の水洗大便器を設置場所の床面に設置する施工が開始される前の状態から施工が完了されるまでのいくつかの施工状態について概略的に説明した図である。
【発明を実施するための形態】
【００１８】
以下、図１〜図１３を参照して、本発明の第１実施形態による便器施工用補助部材について説明する。
図１及び図２は、本発明の第１実施形態による便器施工用補助部材の右側面図及び背面図をそれぞれ示し、便器梱包用箱の外装材が取り外された未施工の床置き式の水洗大便器が便器施工用補助部材に配置された状態を示す。
まず、図１及び図２に示すように、本発明の第１実施形態による便器施工用補助部材１は、床置き式の大便器２を梱包する便器梱包用箱の梱包材の一部であり、床置き式の水洗大便器２の設置場所（例えば、トイレブース）への搬送を補助すると共に、この搬送後、水洗大便器２を床面Ｆに設置する際の施工を補助するものである。
また、床置き式の水洗大便器２は、典型的な例では、その陶器製の便器本体２ａの外形が比較的大きく、５０ｋｇ〜６０ｋｇ程度の比較的重い重量であることに加えて、便器本体の外観面が上下方向の中間部Ｍ付近から下方に向かって窄まる意匠性の高い滑らかな曲面形状からなる外観を有するものである。
さらに、水洗大便器２においては、便器本体２ａの上面に便座２ｂ及び便蓋２ｃが設けられていると共に、その後方側の便器本体２ａの内部には、使用者の局部を洗浄する衛生洗浄部（図示せず）や便器本体２ａへの給水機能に関与する給水系機能部（図示せず）等の機能部（図示せず）等が設けられているが、これらの説明については省略する。
また、図１に示すように、便器本体２ａには、そのボウル内から排出される汚物を排出する排出路の出口である便器側排出口２ｄが、下方に差し向けられるように形成されている。
なお、本実施形態においては、便器側排出口２ｄが便器本体２ａの上下方向の中間付近に位置する水洗大便器２の形態について説明するが、便器本体２ａのボウル内から排出される汚物を排出する排出路の下流側部分が便器本体２ａの内部下方領域まで延びている形態であってもよいし、或いは便器本体２ａの下端よりも下方の領域まで延びている形態であってもよい。
要するに、便器側排出口２ｄについては、下方に差し向けられるように形成されている形態であれば、便器本体２ａの内部下方領域に位置している形態であってもよく、或いは便器本体２ａの下端よりも下方の領域に位置している形態であってもよい。
【００１９】
つぎに、図１及び図２に示すように、本実施形態の便器施工用補助部材１は、便器梱包用箱の外装材４が取り外されると共に、未施工の床置き式の水洗大便器２が配置された状態で設置場所まで搬送された後、床面Ｆ１に仮置きされるようになっている。
具体的には、便器施工用補助部材１は、床面Ｆ上に配置される底トレイ６と、この底トレイ６内の上方に設けられた補助トレイ８とを備えている。
また、便器施工用補助部材１は、これらの底トレイ６と補助トレイ８との間に取り外し可能に設けられた支持部材１０，１２を備えており、これらの支持部材１０，１２の詳細については後述するが、水洗大便器２の前方から見て左右方向の左側支持部材１０及び右側支持部材１２からなる。
さらに、便器施工用補助部材１は、各支持部材１０，１２と底トレイ６との間に設けられたスライド用部材１４，１６を備えており、これらのスライド用部材１４，１６の詳細については後述するが、水洗大便器２の前方から見て左右方向の左側スライド用部材１４及び右側スライド用部材１６からなる。
なお、本実施形態の便器施工用補助部材１においては、各部材６，８，１０，１２，１４，１６が段ボール紙からなる板材によって形成されている例について説明するが、板材としては、段ボール紙に限られず、滑動性や表面硬度を配慮して、例えば、コートボール紙やプラスチック製の板材、或いは、金属製の薄板材等を採用してもよい。
【００２０】
つぎに、図３は、本発明の第１実施形態による便器施工用補助部材の底トレイの分解斜視図である。
図１〜図３に示すように、底トレイ６は、基部トレイ１８と、この基部トレイ１８の後方側から入れ子式に着脱可能に配置された着脱トレイ２０とからなる。
まず、基部トレイ１８は、その底部１８ａの左右両側の左側壁部１８ｂ及び右側壁部１８ｃのそれぞれにおいて、手掛け用の前側把持穴１８ｄ，１８ｅ及び後側把持穴１８ｆ，１８ｇがそれぞれ貫通穴として設けられている。
水洗大便器２が配置された便器施工用補助部材１を設置場所に搬送する際には、基本的には、便器施工用補助部材１の前方側の第１施工者が、基部トレイ１８の前側把持穴１８ｄ，１８ｅのそれぞれを片手ずつで把持すると同時に、便器施工用補助部材１の後方側の第２施工者が、基部トレイ１８の後側把持穴１８ｆ，１８ｇのそれぞれを片手ずつで把持するようになっている。
また、図３に示すように、着脱トレイ２０は、基部トレイ１８の後方側領域に配置されており、基部トレイ１８の後方側から取り外し可能となっている。
より具体的には、図３に示すように、基部トレイ１８の底部１８ａの後方側は、その左右方向の中央部が所定の横幅で前方側に切り欠かれた切欠き領域Ｒ１を形成している。
そして、図１〜図３に示すように、着脱トレイ２０が基部トレイ１８に取り付けられた状態では、着脱トレイ２０の底部２０ａが基部トレイ１８の底部１８ａの切欠き領域Ｒ１内に配置されて、底トレイ６全体の底部の一部となっていると共に、着脱トレイ２０の底部２０ａの後端から立ち上がる後壁部２０ｂが底トレイ６全体の後壁部となっている。
また、この着脱トレイ２０の後壁部２０ｂは、立ち上がった状態から後方側に倒すことにより、ほぼ平坦な状態に設定して、底トレイ６の後方側を開放することも可能となっている。
一方、図１〜図３に示すように、着脱トレイ２０を基部トレイ１８から取り外す際には、着脱トレイ２０の後壁部２０ｂを基部トレイ１８に対して後方側に引き出すことにより、底部２０ａが後方側に引き出されて、基部トレイ１８の切欠き領域Ｒ１が開放されるようになっている。これにより、着脱トレイ２０を後方側に移動させた際には、基部トレイ１８の底部１８ａの切欠き領域Ｒ１が後方の床側排水口Ｄ１にアクセスし易くすることができるようになっている。
【００２１】
図３に示すように、本実施形態では、施工者が底トレイ６を設置場所の周辺の床面Ｆ上に配置した後、便器２を所定の設置スペース（例えば、トイレ室）内にアクセスさせようとしたときに、例えば、便器２の設置スペースの間取りが狭い場合や設置スペースに対して前方が塞がれているために、側方のみからしかアクセスできない場合等、設置スペースの状況に応じて適宜着脱トレイ２０を基部トレイ１８の後方側から取り外すことにより底トレイ６の前後方向の長さを容易に調整することができるようになっている。
なお、本実施形態では、着脱トレイ２０を基部トレイ１８の後方側から取り外すことができる形態について説明するが、このような形態に限られず、着脱トレイ２０を基部トレイ１８の前方側或いは左右方向の一方側から取り外すことができるような形態であってもよい。
また、図３に示すように、基部トレイ１８の底部１８ａにおける前後方向の中央部よりも後方側の領域は、左右両側を所定幅だけ残して概ねＵ字形に切り取られた切欠き領域Ｒ１となっているため、便器２を床面Ｆに設置する施工時には、基部トレイ１８を床面Ｆ上に沿って適宜移動させた後、後述するように、補助トレイ８を基部トレイ１８に対して後方側に移動させることにより、便器２の便器側排出口２ｄや、設置場所の床面Ｆに設けられた排水ソケット等の排水管部材２２における床面Ｆよりも上方に位置する床側排水口Ｄ１について、切欠き領域Ｒ１の範囲内に位置決めすることができるようになっている。
【００２２】
つぎに、図４は、本発明の第１実施形態による便器施工用補助部材の補助トレイの組立前の状態を上から見た展開図（平面図）であり、図５は、本発明の第１実施形態による便器施工用補助部材の補助トレイを斜め前方且つ下方から見た斜視図である。
図１、図２、図４及び図５に示すように、補助トレイ８は、便器本体２ａの底面を支持する底部８ａと、この底部８ａにおける便器本体２ａの前方から見て左右両側端部から便器本体２ａの側方付近まで立ち上がり可能に設けられた左側壁部８ｂ及び右側壁部８ｃとを備えている。
また、図４及び図５に示すように、補助トレイ８の底部８ａの後方側領域は、基部トレイ１８の底部１８ａの後方側の切欠き領域Ｒ１と同様に、概ねＵ字形に切り取られた切欠き領域Ｒ２となっており、補助トレイ８を後方側に移動させた際には、補助トレイ８の底部８ａの後方側の切欠き領域Ｒ２が後方の床側排水口Ｄ１にアクセスし易くすることができるようになっている。
【００２３】
また、図４に示すように、補助トレイ８の左右の側壁部８ｂ，８ｃの少なくとも一方の内側面には、便器本体２ａの施工時における便器施工用補助部材１の各部の取扱い手順に関するイラスト又は説明書Ｃが付されている。
これにより、便器本体２ａを床面Ｆに設置する前に底トレイ６を設置場所の床面Ｆに配置した後、補助トレイ８の左右の側壁部８ｂ，８ｃを外側に展開した際、左右の側壁部８ｂ，８ｃの少なくとも一方の内側面に付されている便器本体２ａの施工時における便器施工用補助部材１の各部の取扱い手順に関するイラスト又は説明書Ｃについて、施工者の目に付き易くすることができるようになっている。
なお、印象高く配慮事項伝達を計るために、文書だけでなく、様々なピクトグラムやイラストを記載してもよく、誤った開梱作業は正しい施工を害する可能性があるため、様々なピクトグラムやイラストを記載することが推奨される。
【００２４】
また、図１、図２、図４及び図５に示すように、補助トレイ８の左右の側壁部８ｂ，８ｃの後方側且つ上方側の領域には、把持部である手持ち用の把持穴８ｄ，８ｅがそれぞれ設けられている。これにより、図１及び図２に示すように、水洗大便器２ａが便器施工用補助部材１を介して床面Ｆ上に配置されて、施工が開始される前の状態（以下「施工開始前状態Ｓ０」）では、便器梱包用箱の外装材４が取り外されているため、施工者が手持ち用の把持穴８ｄ，８ｅを把持して引き上げることができるようになっている。
さらに、図５に示すように、補助トレイ８の底部８ａの下面における前後方向の中央部よりも前方側の領域には、左右方向に延びるように支点部８ｆが設けられている。
また、補助トレイ８の底部８ａの下面の支点部８ｆの背面における左右方向の中央部には、後方側に延びて且つその底面が前端から後端に向かって斜め上方に傾斜する傾斜部８ｇが設けられている。
【００２５】
つぎに、図６は、本発明の第１実施形態による便器施工用補助部材の左側支持部材について後方斜め上方から見た斜視図であり、図７は、本発明の第１実施形態による便器施工用補助部材の右側支持部材について後方斜め上方から見た斜視図である。
また、図８は、本発明の第１実施形態による便器施工用補助部材の左側支持部材の上脚部の上部が補助トレイの取付部に取り付けられた状態について前方斜め上方から見た部分拡大斜視図であり、図９は、本発明の第１実施形態による便器施工用補助部材における施工開始前状態の左側支持部材の左側面部分を拡大した部分拡大左側面図であり、補助トレイが施工時に引き上げられていない状態で支持部材の下脚部が上脚部の下端部で折り曲げられた状態を示す。
さらに、図１０の（Ａ）〜（Ｈ）は、本発明の第１実施形態による便器施工用補助部材を用いて床置き式の水洗大便器を設置場所の床面に設置する施工が開始される前の状態から施工が完了されるまでのいくつかの施工状態について、時系列の順に概略的に説明した図である。
【００２６】
まず、図１、図２及び図４〜図９に示すように、左側支持部材１０及び右側支持部材１２のそれぞれは、補助トレイ８の底部８ａの左側取付部８ｈ及び右側取付部８ｉのそれぞれに取り外し可能に取り付けられる上脚部１０ａ，１２ａを備えている。
また、図１、図２、図４〜図９及び図１０の（Ａ）に示すように、左側支持部材１０及び右側支持部材１２のそれぞれは、各上脚部１０ａ，１２ａの下端部のそれぞれに上下方向に回動可能に連結される下脚部１０ｂ，１２ｂを備えている。
さらに、図４〜図８に示すように、各上脚部１０ａ，１２ａは、その上部に水平左右方向の内側及び外側に間隔を置いてそれぞれ設けられていると共に、上方に突出するように形成された内側取付部１０ｃ，１２ｃ及び外側取付部１０ｄ，１２ｄをそれぞれ備えている。
そして、図１、図２及び図４〜図９に示すように、左側支持部材１０及び右側支持部材１２のそれぞれが補助トレイ８の底部８ａの左側取付部８ｈ及び右側取付部８ｉのそれぞれに取り付けられた状態では、各上脚部１０ａ，１２ａの内側取付部１０ｃ，１２ｃのそれぞれが、補助トレイ８の左側取付部８ｈ及び右側取付部８ｉのそれぞれの内側取付穴８ｊ，８ｌの下側から挿入されて取り付けられると共に、各上脚部１０ａ，１２ａの外側取付部１０ｄ，１２ｄのそれぞれが、補助トレイ８の左側取付部８ｈ及び右側取付部８ｉのそれぞれの外側取付穴８ｋ，８ｍの下側から挿入されて取り付けられるようになっている。
なお、図１、図２及び図６〜図９に示すように、水洗大便器２を床面Ｆに設置する施工の開始前から施工の途中においては、左側支持部材１０及び右側支持部材１２のそれぞれが補助トレイ８の底部８ａの左側取付部８ｈ及び右側取付部８ｉのそれぞれに取り付けられた状態となって。この状態では、各上脚部１０ａ，１２ａの内側取付部１０ｃ，１２ｃが便器本体２ａの内部下方に位置しており、便器本体２ａの左右の側壁の下端部２ｅ（図２参照）が各上脚部１０ａ，１２ａの内側取付部１０ｃ，１２ｃと外側取付部１０ｄ，１２ｄとによって挟まれて保持された状態となっている。
【００２７】
また、図４〜図９に示すように、各上脚部１０ａ，１２ａの外側取付部１０ｄ，１２ｄの上端は、その左右方向の外側に突出した突出部１０ｅ，１２ｅを形成している。
さらに、補助トレイ８の底部８ａの左側取付部８ｈ及び右側取付部８ｉの各外側取付穴８ｋ，８ｍの左右方向の外側端部における各側壁部８ｂ，８ｃの一部には、係合／係合解除操作板８ｎ，８ｏが設けられている。
これらの係合／係合解除操作板８ｎ，８ｏについては、左側支持部材１０及び右側支持部材１２のそれぞれが補助トレイ８の底部８ａの左側取付部８ｈ及び右側取付部８ｉのそれぞれに取り付けられた状態において、図２及び図８に示すように、各上脚部１０ａ，１２ａの外側取付部１０ｄ，１２ｄの突出部１０ｅ，１２ｅのそれぞれの下端に係合解除可能に取り付けられている。
また、図４、図５、図８及び図９に示すように、各係合／係合解除操作板８ｎ，８ｏには、手指挿入用の挿入穴８ｐ，８ｑがそれぞれ形成されている。
図４、図５、図８及び図９に示すように、各係合／係合解除操作板８ｎ，８ｏが各上脚部１０ａ，１２ａの外側取付部１０ｄ，１２ｄの突出部１０ｅ，１２ｅのそれぞれの下端に係合している状態において各挿入穴８ｐ，８ｑに手指を挿入して外側に引き出すことにより、各係合／係合解除操作板８ｎ，８ｏと各上脚部１０ａ，１２ａの外側取付部１０ｄ，１２ｄの突出部１０ｅ，１２ｅとの係合について解除することができるようになっている。
すなわち、これらの係合／係合解除操作板８ｎ，８ｏ及び各挿入穴８ｐ，８ｑは、各支持部材１０，１２の上脚部１０ａ，１２ａと補助トレイ８の各取付部８ｈ，８ｉとの係合／係合解除について、手動操作可能な係合解除操作部として機能することができるようになっている。
【００２８】
つぎに、図１、図２、図６、図７、図９及び図１０の（Ａ）に示すように、施工開始前状態Ｓ０においては、各支持部材１０，１２の伸長時の各下脚部１０ｂ，１２ｂの背面Ｂ１，Ｂ２（図６及び図７参照）が各上脚部１０ａ，１２ａの背面Ｂ３，Ｂ４（図６及び図７参照）に重なるように、各下脚部１０ｂ，１２ｂの下端部１０ｆ，１２ｆ（図６及び図７参照）が各上脚部１０ａ，１２ａの下端部を中心に後方且つ上方に回動して折り曲げられた状態となっており、各下脚部１０ｂ，１２ｂが各上脚部１０ａ，１２ａの後方側に位置している。
これにより、図１０の（Ａ）に示すように、補助トレイ８が、床トレイ６内において、支点部８ｆ、この支点部８ｆの後方の各支持部材１０，１２の各上脚部１０ａ，１２ａ、及び、その後方の各下脚部１０ｂ，１２ｂのそれぞれによって支持されていると共に、この補助トレイ８の底部８ａによって、水洗大便器２の底面が水平姿勢になるように支持されるようになっている。
【００２９】
つぎに、図１１は、本発明の第１実施形態による便器施工用補助部材の底トレイ、スライド用部材、支持部材、補助トレイ、及び、これらに支持された水洗大便器について斜め後方且つ上方から見た部分拡大斜視図であり、補助トレイが施工開始時に引き上げられて傾斜したときに支持部材の下脚部が立脚した状態を示す。
図１０の（Ｂ）及び図１１に示すように、施工開始状態（第１施工状態）Ｓ１において、補助トレイ８の各把持穴８ｄ，８ｅを把持して上方に引き上げると、補助トレイ８が支点部８ｆの中心軸線Ａ１を中心に揺動して底トレイ６に対して傾斜し、補助トレイ８の底部８ａの後方部が前方部よりも高くなるような傾斜状態となるようになっている。
同時に、図１０の（Ｂ）に示すように、補助トレイ８の底部８ａ上に配置された便器本体２ａについても、補助トレイ８と共にその底面後方部が底面前方部よりも高くなるような傾斜状態となるようになっている。
そして、図１０の（Ｂ）に示すように、補助トレイ８が、便器本体２ａの便器側排出口２ｄが床側排水口Ｄ１（図１０の（Ｃ）参照）よりも高い位置になるような傾斜状態まで引き上げられると、各下脚部１０ｂ，１２ｂは、図９及び図１０の（Ａ）に示すような折り曲げられた状態から、図６、図７及び図１０の（Ｂ）に示すように、各下脚部１０ｂ，１２ｂの下端部１０ｆ，１２ｆが各上脚部１０ａ，１２ａの下端部を中心に前方且つ下方に回動した状態（図１０の（Ｂ）参照）となるようになっている。
その後、図１０の（Ｃ）及び図１１に示すように、各下脚部１０ｂ，１２ｂは、その下端部１０ｆ，１２ｆが各スライド用部材１４，１６上に位置し、立脚した状態Ｓ２となるようになっている。
【００３０】
つぎに、図１１に示すように、各スライド用部材１４，１６は、底トレイ６（基部トレイ１８）内の底部１８ａにおける上面両側に配置される下側板部材１４ａ，１６ａを備えている。
また、各スライド用部材１４，１６は、下側板部材１４ａ，１６ａの上面に対して前後方向に摺動可能に配置される上下２枚の下中間板部材１４ｂ，１６ｂ及び上中間部材１４ｃ，１６ｃを備えている。
さらに、各スライド用部材１４，１６は、上中間部材１４ｃ，１６ｃの上面に対して前後方向に摺動可能に配置されると共に補助トレイ８の底部８ｂの一部、より具体的には、補助トレイ８の底部８ｂの支点部８ｆ及び各支持部材１０，１２を支持する上側板部材１４ｄ，１６ｄを備えている。
ここで、各中間板部材１４ａ，１４ｂ，１６ａ，１６ｂについては、その表面が各下側板部材１４ａ，１６ａ及び各上側板部材１４ｄ，１６ｄの表面よりも平滑な面に形成されている。
なお、本実施形態においては、各スライド用部材１４，１６が、４枚の板部材（下側板部材１４ａ，１６ａ、上下２枚の下中間板部材１４ｂ，１６ｂ及び上中間部材１４ｃ，１６ｃ、並びに、上側板部材１４ｄ，１６ｄ）からなる形態について説明するが、４枚以外の複数枚の板部材からなる形態であってもよい。
【００３１】
また、図１０の（Ｂ）に示す施工開始状態Ｓ１の後、各下脚部１０ｂ，１２ｂが立脚した状態Ｓ２（図１０の（Ｃ）及び図１１参照）から、施工者が補助トレイ８及び水洗大便器２を傾斜させたままの状態で後方側に押し込んだ移動状態（第２施工状態）Ｓ３（図１０の（Ｄ）参照）までの状態では、補助トレイ８の底部８ａの一部及び各支持部材１０，１２の各下脚部１０ｂ，１２ｂを支持している上側板部材１４ｄ，１６ｄ（図１１参照）に対して後方側に移動させる力ｆ１（図１０の（Ｄ）及び図１１参照）が作用するため、この上側板部材１４ｄ，１６ｄが、その下方の平滑な中間板部材１４ｂ，１４ｃ，１６ｂ，１６ｃや下側板部材１４ａ，１６ａに対して後方側に滑動することができるようになっている。
したがって、例えば、施工者は、施工開始前状態Ｓ０（図１０の（Ａ）参照）の後、図１０の（Ｂ）に示す施工開始状態Ｓ１から、着脱トレイ２０の後壁部２０ｂを後方側に倒してほぼ平坦な状態（図１１参照）に設定した後、各下脚部１０ｂ，１２ｂが立脚した状態Ｓ２（図１０の（Ｃ）及び図１１参照）において、図１０の（Ｄ）に示すように、補助トレイ８及び便器本体２ａを傾斜させたままの状態で後方側に押し込むだけで、補助トレイ８の底部８ａの一部及び各支持部材１０，１２の各下脚部１０ｂ，１２ｂについて、上側板部材１４ｄ，１６ｄと共に底トレイ６（基部トレイ１８）の各側壁部１８ｂ，１８ｃに沿ってガイドさせながら、後方側に移動させることができるようになっている。これにより、補助トレイ８及び便器本体２ａについても、後方側に移動させることができるようになっている。
そして、補助トレイ８及び便器本体２ａを便器側排出口２ｄと床側排水口Ｄ１とが接続可能な位置Ｐ１（図１０の（Ｄ）参照）まで移動させた状態Ｓ３にすることができるようになっている。
【００３２】
つぎに、図１２は、本発明の第１実施形態による便器施工用補助部材の床トレイ及び補助トレイの平面図であり、施工時に補助トレイを後方に移動させる前後の状態（便器側排水口と床側排水口とを接続位置に位置合わせする前後の状態）を示す。
また、図１３は、本発明の第１実施形態による便器施工用補助部材の補助トレイの左側係合解除部を手動操作して係合解除した状態を斜め後方且つ上方から見た斜視図である。
なお、図１２においては、便器本体２ａ及び便器側排出口２ｄの移動前後の状態について、互いに異なる鎖線で示している。
まず、図４、図５、図１０の（Ｄ）及び（Ｅ）並びに図１２に示すように、補助トレイ８の底部８ａの左右方向の中央部の後端には、補助トレイ８上の便器本体２ａの便器側排出口２ｄを床側排水口Ｄ１に接続可能な位置Ｐ１に位置決め可能にする位置決め部８ｒが平面視で部分的な円弧状に形成されている。
また、図１２に示すように、補助トレイ８上の便器本体２ａよりも上方の施工者が補助トレイ８について底トレイ６に対して上述した移動状態Ｓ３の接続可能な位置Ｐ１まで移動させる際に、施工者から床側排水口Ｄ１と便器本体２ａの便器側排出口２ｄとの接続状況が見え難い状況であっても、補助トレイ８の位置決め部８ｒについて、床側排水口Ｄ１を形成する排水ソケット等の排水管部材２２に対して前方側から当接させることにより、補助トレイ８上の便器本体２ａの便器側排出口２ｄについて床側排水口Ｄ１に接続可能な位置Ｐ１に容易に位置決めすることができるようになっている。
【００３３】
つぎに、図１３は、本発明の第１実施形態による便器施工用補助部材の補助トレイの左側取付部の係合／係合解除操作板を手動操作して係合解除した状態について、斜め後方且つ上方から見た斜視図である。
図１０の（Ｄ）に示す移動状態Ｓ３の後、図１０の（Ｅ）に示す状態では、施工者は、図１３に示すように、補助トレイ８の各係合／係合解除操作板８ｎ，８ｏの各挿入穴８ｐ，８ｑに手指を挿入して、各係合／係合解除操作板８ｎ，８ｏを外側に引き出すことにより、図８に示す各上脚部１０ａ，１２ａの外側取付部１０ｄ，１２ｄの突出部１０ｅ，１２ｅのそれぞれの下端と各係合／係合解除操作板８ｎ，８ｏとの係合が解除された状態（係合解除状態Ｓ４）になっている。
そして、各上脚部１０ａ，１２ａの外側取付部１０ｄ，１２ｄの突出部１０ｅ，１２ｅのそれぞれの下端と各係合／係合解除操作板８ｎ，８ｏとの係合が解除された状態の後、図１０の（Ｅ）に示すように、補助トレイ８の底部８ａの後方側領域について、補助トレイ８の支点部８ｆの中心軸線Ａ１を中心に上述した接続可能な位置Ｐ１の高さよりもさらに引き上げられることにより、各上脚部１０ａ，１２ａが補助トレイ８の各取付部８ｈ，８ｊから脱落するようになっている。
さらに、図６及び図７に示すように、各支持部材１０，１２の下脚部１０ｂ，１２ｂの下端部１０ｆ，１２ｆについては、その外側端部がほぼ部分的な円弧状に形成されているため、各支持部材１０，１２は、補助トレイ８の各取付部８ｈ，８ｊから脱落後、自重により底トレイ６の外側へ倒れ込むことができるようになっている。すなわち、各支持部材１０，１２は、施工者が直接手で触れることなく、底トレイ６の外部に取り外されて離脱した状態（離脱状態Ｓ４）となるようになっている。
【００３４】
つぎに、図１０の（Ｅ）に示す状態Ｓ４の後、図１０の（Ｆ）に示すように、補助トレイ８の各把持穴８ｄ，８ｅの引き上げが解放されると、便器本体２ａの便器側排出口２ｄが、便器本体２ａの自重により押し下げられて、便器側排出口２ｄが床側排水口Ｄ１内に滑り込むように挿入されて、床側排水口Ｄ１に接続された状態（第３施工状態）Ｓ５となるようになっている。
そして、図１０の（Ｆ）に示す状態Ｓ５の後、図１０の（Ｇ）に示すように、底トレイ６を補助トレイ８と共に前方側に移動させた状態（前方移動状態Ｓ６）の後、図１０の（Ｈ）及び図１２に示すように、これらの底トレイ６及び補助トレイ８の全体について、便器本体２ａの前方側に完全に撤去することにより、施工が完了した状態（施工完了状態Ｓ７）となるようになっている。
【００３５】
つぎに、図１〜図１３を参照して、上述した本発明の第１実施形態による便器施工用補助部材１を用いて水洗大便器２を設置場所の床面Ｆに設置する施工方法、及び、本実施形態による便器施工用補助部材１の作用について説明する。
上述した本発明の第１実施形態による便器施工用補助部材１によれば、施工者は、まず、床置き式の水洗大便器２を設置場所の床面Ｆに設置する際には、底トレイ６の底部（基部トレイ１８の底部１８ａ）上に、下側から順に、各スライド用部材１４，１６、各支持部材１０，１２、補助トレイ８、水洗大便器２（便器本体２ａ）を配置した状態で、施工者は、底トレイ６の側壁部（基部トレイ１８の各側壁部１８ｂ，１８ｃの各把持穴８ｄ，８ｅ）を把持して設置場所まで搬送することにより、便器施工用補助部材１の各部材６，８，１０，１２，１４，１６、１８，２０と水洗大便器２（便器本体２ａ）を一体で設置場所まで搬送する。
つぎに、施工者は、これらの便器施工用補助部材１の各部材６，８，１０，１２，１４，１６、１８，２０と水洗大便器２（便器本体２ａ）を一体で設置場所まで搬送した後、施工開始前状態Ｓ０（図１０の（Ａ）及び図１２参照）において、まず、これらの便器施工用補助部材１の各部材６，８，１０，１２，１４，１６、１８，２０と水洗大便器２（便器本体２ａ）を一体のままで底トレイ６を床面Ｆ上に配置する。このとき、便器本体２の便器側排出口２ｄは、床側排水口Ｄ１よりも前方に位置している。
つぎに、図１０の（Ｂ）に示す施工開始状態Ｓ１において、施工者は、図３に示す底トレイ６の後壁部（着脱トレイ２０の後壁部２０ｄ）を展開して底トレイ６の後端を開放させた後、図１０の（Ｂ）に示すように、便器本体２ａの底面後方部が底面前方部よりも高くなる傾斜状態Ｓ１になるように、補助トレイ８の左右の側壁部８ｂ，８ｃの各把持穴８ｄ，８ｅを持ち上げると、各支持部材１０，１２の下脚部１０ｂ，１２ｂが立脚し、図１０の（Ｃ）及び図１１に示すように、各支持部材１０，１２の下脚部１０ｂ，１２ｂが完全に立脚した状態Ｓ２となる。これにより、図１０の（Ｃ）及び図１１に示すように、各支持部材１０，１２がこれらの傾斜状態Ｓ１の補助トレイ８及び便器本体２ａを支持している状態Ｓ２に容易に設定することができる。
また、図１０の（Ｃ）及び図１１に示す状態Ｓ２では、便器本体２ａは、傾斜した状態の補助トレイ８を介して各支持部材１０，１２によって支持されているため、便器本体２ａの内部下方に形成される便器側排出口２ｄの高さ位置について、床面Ｆよりも上方に位置する床側排水口Ｄ１の高さ位置よりも容易に高くすることができる。
つぎに、施工者は、この状態Ｓ２の後、図１０の（Ｄ）及び図１２に示すように、補助トレイ８及び便器本体２ａを傾斜させたままの状態で、これらの補助トレイ８及び便器本体２ａを底トレイ６（基部トレイ１８）に対して後方側に押し込むと、各支持部材１０，１２及び各スライド用部材１４，１６が底トレイ６の側壁部（基部トレイ１８の両側壁部１８ｂ，１８ｃ）に沿ってガイドされながら、各スライド用部材１４，１６同士の滑らかな摺動によって後方に容易に移動することができ、便器側排出口２ｄと床側排水口Ｄ１とが接続可能な接続位置まで移動した移動状態Ｓ３に容易に設定することができる。
そして、この移動状態Ｓ３の後、図１０の（Ｅ）、図１２及び図１３に示すように、各係合／係合解除操作板８ｎ，８ｏを手動で操作することにより、各係合／係合解除操作板８ｎ，８ｏと各上脚部１０ａ，１２ａの外側取付部１０ｄ，１２ｄの突出部１０ｅ，１２ｅとの係合を解除し、各支持部材１０，１２が補助トレイ８の各取付部８ｈ，８ｉから取り外されて離脱した状態Ｓ４となる。
つぎに、図１０の（Ｆ）に示すように、便器本体２ａの便器側排出口２ｄは、便器本体２ａの自重と共に押し下げられるため、床側排水口Ｄ１に接続された状態Ｓ５に容易に設定することができる。
また、図１０の（Ｆ）に示す状態Ｓ５の後、図１０の（Ｇ）に示すように、底トレイ６を補助トレイ８と共に前方側に移動させた状態（前方移動状態Ｓ６）の後、図１０の（Ｈ）及び図１２に示すように、これらの底トレイ６及び補助トレイ８の全体について、便器本体２ａの前方側に完全に撤去することにより、施工が完了した状態（施工完了状態Ｓ７）となる。
これらの結果、床置き式の水洗大便器２を設置場所の床面Ｆに設置する施工を行う際には、例えば、陶器製の便器本体２ａの外形が比較的大きく、５０ｋｇ〜６０ｋｇ程度の比較的重い重量であることに加えて、便器本体２ａの外観面が上下方向の中間部Ｍ付近から下方に向かって窄まる意匠性の高い滑らかな曲面形状からなる外観を有する陶器製の便器本体２ａであっても、特に、図１０の（Ｂ）に示す施工開始状態Ｓ１から図１０の（Ｆ）に示す接続状態Ｓ５までの施工状態に容易に設定することができるため、水洗大便器２を持ち上げる作業負担を可能な限り軽減することができ、施工作業を容易に行うことができる。
【００３６】
また、本実施形態による便器施工用補助部材１によれば、補助トレイ８の左右の側壁部８ｂ，８ｃの後方側領域にそれぞれ設けられた手持ち用の把持穴８ｄ，８ｅ、及び、補助トレイ８の底部８ａの前方側領域に設けられて把持穴８ｄ，８ｅを把持した状態で引き上げることにより傾斜状態まで揺動可能にする支点部８ｆにより、施工者は、図１０の（Ａ）に示す状態Ｓ０から図１０の（Ｂ）に示す状態Ｓ１において、補助トレイ８の左右の側壁部８ｂ，８ｃの把持穴８ｄ，８ｅを把持して各側壁部８ｂ，８ｃを容易に持ち上げることができると共に、補助トレイ８及び便器本体２ａについて支点部８ｆの中心軸線Ａ１を中心に容易に揺動させることができるため、便器本体２ａの底面後方部が底面前方部よりも高くなる傾斜状態Ｓ１に容易に設定することができる。
したがって、便器本体２ａの底面後方部が底面前方部よりも高くなるような傾斜状態で補助トレイ８が各支持部材１０，１２により支持された状態Ｓ２（図１０の（Ｃ）参照）についても容易に設定することができるため、便器本体２ａを持ち上げる作業負担を軽減することができ、施工作業を容易に行うことができる。
【００３７】
さらに、本実施形態による便器施工用補助部材１によれば、図１、図２、図９及び図１０の（Ａ）に示すように、施工開始前状態Ｓ０においては、各支持部材１０，１２の下脚部１０ｂ，１２ｂが、上脚部１０ａ，１０ｂと重なるように各上脚部１０ａ，１２ａの下端部から上方に回動して折り曲げられた状態で、水平姿勢の便器本体２ａの底面を支持する補助トレイ８の底部８ａについて各支持部材１０，１２の上脚部１０ａ，１２ａ及び下脚部１０ｂ，１２ｂのそれぞれで支持することができる。
また、施工者は、図１０の（Ｂ）に示すように、施工開始状態Ｓ１で補助トレイ８の把持穴８ｄ，８ｅを把持して補助トレイ８を傾斜状態まで引き上げることにより、便器本体２ａの便器側排出口２ｄが床側排水口Ｄ１よりも高い位置になったときには、各支持部材１０，１２の下脚部１０ｂ，１２ｂを自重により上脚部１０ａ，１２ａに対して下方に回動させて何ら外部から操作されることなく容易に立脚した状態Ｓ２（図１０の（Ｃ）及び図１１参照）に設定することができる。
したがって、図１０の（Ｂ）に示す施工開始状態Ｓ１から図１０の（Ｄ）に示す移動状態Ｓ３までの状態において、立脚した状態の各支持部材１０，１２により補助トレイ８及び便器本体２ａを支持しながら傾斜状態を容易に維持することができるため、補助トレイ８及び便器本体２ａを持ち上げて傾斜状態にする作業負担を軽減することができる。
【００３８】
また、本実施形態による便器施工用補助部材１によれば、各スライド用部材１４，１６の各中間板部材１４ｂ，１４ｃ，１６ｂ，１６ｃが、各下側板部材１４ａ，１６ａ及び各上側板部材１４ｄ，１６ｄのそれぞれよりも平滑に形成されていることにより、図１０の（Ｂ）に示す施工開始状態Ｓ１の後、施工者が補助トレイ８及び便器本体２ａを傾斜させたままの状態で後方側に押し込んだ際、補助トレイ８の底部８ａの一部（支点部８ｆ）及び各支持部材１０，１２を支持している各上側板部材１４ｄ，１６ｄに対して後方側に移動させる力ｆ１（図１０の（Ｄ）及び図１１参照）が作用し、この上側板部材１４ｄ，１６ｄが、その下方の平滑な各中間板部材１４ａ，１４ｂ，１６ａ，１６ｂや各下側板部材１４ａ，１６ａに対して後方側に滑動することができる。
したがって、施工者は、施工中の状態Ｓ２（図１０の（Ｃ）及び図１１参照）において、補助トレイ８及び便器本体２ａを傾斜させたままの状態Ｓ３（図１０の（Ｄ）、図１１、及び図１２参照）で後方側に押し込むだけで、補助トレイ８及び便器本体２ａを支持する各支持部材１０，１２及び各スライド用部材１４，１６について、底トレイ６の側壁部（基部トレイ１８の両側壁部１８ｂ，１８ｃ）に沿ってガイドさせながら、補助トレイ８及び便器本体２ａを便器側排出口２ｄと床側排水口Ｄ１とが接続可能な位置Ｐ１（図１０の（Ｄ）及び図１２参照）まで容易に移動させることできるため、施工作業の負担を軽減することができる。
なお、各スライド用部材１４，１６は段ボール紙を組み合わせるだけでなく、例えば、材質を変更したり、表面に潤滑性の素材を塗布処理したりすることで、より滑動効果を向上させることも可能である。
【００３９】
さらに、本実施形態による便器施工用補助部材１によれば、底トレイ６が、下側に配置される基部トレイ１８と、この基部トレイ１８の後方側から着脱可能に設けられた着脱トレイ２０とを備えているため、着脱トレイ２０を基部トレイ１８に対して取り外すことにより、基部トレイ１８の底部１８ａの後方側の切欠き領域Ｒ１が床側排水口Ｄ１にアクセスし易くなるように、底トレイ６の底部の前後方向の長さを調整することができる。
したがって、施工者は、便器本体２ａを床面Ｆに設置する際に、底トレイ６を設置場所の周辺の床面Ｆ上に配置した後、便器本体２ａを所定の設置スペース（例えば、トイレ室等）内にアクセスさせようとしたときに、例えば、便器本体２ａの設置スペースの間取りが狭い場合や、設置スペースに対して前方が塞がれているために、側方のみからしかアクセスできない場合等においても、設置スペースの状況に応じて適宜着脱トレイ２０を取り外すことにより、底トレイ６の前後方向の長さを容易に調整することができると共に、基部トレイ１８の底部１８ａの後方側の切欠き領域Ｒ１内に排水管部材２２が位置するように基部トレイ１８を移動させることができるため、便器本体２ａ及び補助トレイ８を底トレイ６と共に設置スペース内の排水管部材２２に容易にアクセスさせることができる。
また、特に、着脱トレイ２０が取り外された状態の底トレイ６については、その後方側領域が便器本体２ａの設置スペースへのアクセスの妨げになることを防ぐことができるため、施工作業の負担を軽減することができる。
【００４０】
また、本実施形態による便器施工用補助部材１によれば、補助トレイ８は、その底部８ａに設けられて各支持部材１０，１２の上脚部１０ａ，１２ａの上部（外側取付部１０ｃ，１０ｄ，１２ｃ，１２ｄ）が係合解除可能に取り付けられる取付部８ｈ，８ｊと、この取付部８ｈ，８ｊに設けられて移動状態Ｓ３後に取付部８ｈ，８ｊと上脚部１０ａ，１２ａとの係合解除が手動操作可能な係合解除操作部（係合／係合解除操作板８ｎ，８ｏ及び挿入穴８ｐ，８ｑ）とを備えているため、施工者は、移動状態Ｓ３の後、補助トレイ８の取付部８ｈ，８ｊと各支持部材１０，１２の上脚部１０ａ，１２ａの上部（取付部１０ｃ，１０ｄ，１２ｃ，１２ｄ）との係合解除を係合解除操作部（係合／係合解除操作板８ｎ，８ｏ及び挿入穴８ｐ，８ｑ）の手動操作により容易に行うことができる。
また、補助トレイ８の取付部８ｈ，８ｊと各支持部材１０，１２の上脚部１０ａ，１２ａの取付部１０ｃ，１０ｄ，１２ｃ，１２ｄとの係合が解除された状態Ｓ４（図１０の（Ｅ）及び図１３参照）においては、補助トレイ８の底部８ａの後方側領域が補助トレイ８の支点部８ｆの中心軸線Ａ１を中心に便器側排出口２ｄと床側排水口Ｄ１との接続可能な位置Ｐ１の高さよりもさらに引き上げられることにより各支持部材１０，１２の上脚部１０ａ，１２ａを補助トレイ８の各取付部８ｈ，８ｊから脱落させることができる。
さらに、補助トレイ８の各取付部８ｈ，８ｊから脱落後の各支持部材１０，１２は、その自重により補助トレイ８の外側へ倒れ込むことにより外部に取り外された離脱状態Ｓ４（図１０の（Ｅ）及び図１２参照）となるため、施工者が各支持部材１０，１２に対して直接手で触れることなく、容易に各支持部材１０，１２を取り外すことができる。
また、図１０の（Ｅ）及び図１２に示す各支持部材１０，１２の離脱状態Ｓ４の後、施工者が補助トレイ８の引き上げを解放すると、図１０の（Ｆ）に示すように、便器本体２ａの自重により便器側排出口２ｄを床側排水口Ｄ１に向けて容易に押し下げることができるため、便器側排出口２ｄが床側排水口Ｄ１に接続された接続状態Ｓ５に容易に設定することができる。
したがって、図１０の（Ｅ）に示す状態Ｓ４から図１０の（Ｆ）に示す状態Ｓ５までの施工状態において、各支持部材１０、１２を取り外す作業や便器側排出口２ｄを床側排水口Ｄ１に接続する作業を容易に行うことができるため、施工作業の負担を軽減することができる。
【００４１】
さらに、本実施形態による便器施工用補助部材１によれば、施工者は、図１０の（Ｄ）及び図１２に示す移動状態Ｓ３において補助トレイ８を便器側排出口２ｄと床側排水口Ｄ１との接続可能な位置Ｐ１まで移動させた際に、床側排水口Ｄ１を形成する排水管部材２２に対して補助トレイ８の部分的な円弧状の位置決め部８ｒを前方側から当接させるだけで、補助トレイ８上の便器本体２ａの便器側排出口２ｄについて床側排水口Ｄ１に接続可能な位置に容易に位置決めすることができる。
したがって、補助トレイ８上の便器本体２ａよりも上方の施工者から床側排水口Ｄ１と便器本体の便器側排出口との接続状況が見え難くても、床側排水口Ｄ１を形成する排水管部材２２に対して補助トレイ８の部分的な円弧状の位置決め部８ｒを前方側から当接させるだけで互いの位置合わせを容易に行うことができるため、施工作業の負担を軽減することができる。
【００４２】
また、本実施形態による便器施工用補助部材１によれば、便器本体２ａを床面Ｆに設置する前に底トレイ６を設置場所の床面Ｆに配置した後の施工開始前状態Ｓ０（図１、図２及び図１０の（Ａ）参照）において、補助トレイ８の左右の側壁部８ｂ，８ｃを外側に展開した際、左右の側壁部８ｂ，８ｃの少なくとも一方の内側面に付されている便器施工用補助部材１の各部の取扱い手順に関するイラスト又は説明書Ｃについて、施工者の目に付き易くすることができる。
したがって、便器本体２ａを床面Ｆに設置する際に、施工者に正しい施工手順を促すことができるため、施工手順が無視されたり、施工手順が間違えられたりするミスを未然に防ぐことができ、施工作業を確実に且つ速やかに行うことができる。
【００４３】
また、本実施形態による便器施工用補助部材１によれば、床置き式の水洗大便器２を梱包する便器梱包用箱の梱包材４の一部であることにより、床置き式の水洗大便器２を設置場所まで搬送する際には、安定した搬送作業を補助することができると共に、搬送後の便器本体２ａを設置場所の床面Ｆに設置する施工作業についても容易に行うことができる便器梱包用箱を提供することができる。
【００４４】
つぎに、図１４を参照して、本発明の第２実施形態による便器施工用補助部材について説明する。
図１４の（Ａ）〜（Ｈ）は、本発明の第２実施形態による便器施工用補助部材を用いて床置き式の水洗大便器を設置場所の床面に設置する施工が開始される前の状態から施工が完了されるまでのいくつかの施工状態について、時系列の順に概略的に説明した図である。
ここで、図１４に示す本発明の第２実施形態による便器施工用補助部材１００において、図１〜図１３に示す上述した本発明の第１実施形態による便器施工用補助部材１の部分と同一の部分については同一の符号を付し、これらの説明については省略する。
まず、図１４の（Ａ）〜（Ｈ）に示すように、本発明の第２実施形態による便器施工用補助部材１００では、補助トレイ８により支持された便器本体２ａをその水平前後方向に移動可能にするスライド用部材１１４について、その軸方向が底トレイ６の左右方向に延びるように配置された単一の円筒状の管部材であり、このスライド用部材１１４が、底トレイ６内の底面に沿って回転することにより補助トレイ８及び便器本体２ａを前後方向に移動可能である点で、上述した本発明の第１実施形態による便器施工用補助部材１の各スライド用部材１４，１６の下側板部材１４ａ，１６ａ、下中間板部材１４ｂ，１６ｂ、上中間板部材１４ｃ，１６ｃ、及び上側板部材１４ｄ，１６ｄの構造と異なっている。
なお、スライド用部材１１４については、複数の円筒状の管部材であってもよい。
また、本発明の第２実施形態による便器施工用補助部材１００では、上述した本発明の第１実施形態による便器施工用補助部材１と同様に、補助トレイ８を支持可能にする支持部材１０，１２を備えている点で共通しているが、補助トレイ８の底部８ａの下面における前後方向の中央部よりも前方側の領域において、取り外し可能な前方側の支持部材１１０が左右方向に延びるように設けられている点で、上述した本発明の第１実施形態による便器施工用補助部材１の補助トレイ８の底部８ａの下面における前後方向の中央部よりも前方側の領域に固定された支点部８ｆの構造と異なっている。
【００４５】
上述した本発明の第２実施形態による便器施工用補助部材１００によれば、施工者は、まず、施工開始前状態Ｓ１００（図１４の（Ａ）参照）において、便器施工用補助部材１００の各部材６，８，１０，１２，１８，２０，１１０，１１４と水洗大便器２（便器本体２ａ）を一体のままで底トレイ６を床面Ｆ上に配置する。このとき、便器本体２の便器側排出口２ｄは、床側排水口Ｄ１よりも前方に位置している。
つぎに、図１４の（Ｂ）に示す施工開始状態Ｓ１０１において、施工者は、底トレイ６の前壁部を開放させた後、図１４の（Ｂ）に示すように、補助トレイ８及び便器本体２ａを底トレイ６（基部トレイ１８）に対して後方側に押し込むと、スライド用部材１１４が、底トレイ６の底部と補助トレイ８の底部との間で底トレイ６の側壁部に沿ってガイドされながら前方側に転がり、支持部材１１０に衝突する。
このとき、図１４の（Ｂ）に示すように、支持部材１１０は、前方側に転がるスライド用部材１１４の衝突力により、底トレイ６の前方側の外部へ押し出されて離脱した状態となる。
【００４６】
つぎに、図１４の（Ｃ）に示すように、便器本体２ａの底面後方部が底面前方部よりも高くなる傾斜状態（第１施工状態）Ｓ１０２になるように、補助トレイ８の左右の側壁部８ｂ，８ｃの各把持穴８ｄ，８ｅを持ち上げると、各支持部材１０，１２の下脚部１０ｂ，１２ｂが立脚し始め、図１４の（Ｄ）に示すように、各支持部材１０，１２の下脚部１０ｂ，１２ｂが完全に立脚した状態Ｓ１０３となる。このとき、便器本体２ａの便器側排出口２ｄの高さ位置について、床側排水口Ｄ１の高さ位置よりも容易に高くすることができる。
つぎに、図１４の（Ｅ）に示すように、補助トレイ８及び便器本体２ａを底トレイ６（基部トレイ１８）に対してさらに後方側に押し込むと、スライド用部材１１４が、底トレイ６の底部と補助トレイ８の底部との間で底トレイ６の側壁部に沿ってガイドされながら後方側に転がり、補助トレイ８及び便器本体２ａと共に後方側に移動することができる。これにより、施工者は、便器側排出口２ｄと床側排水口Ｄ１とが接続可能な位置Ｐ１まで移動させた移動状態（第２施工状態）Ｓ１０４に容易に設定することができる。
【００４７】
つぎに、図１４の（Ｆ）に示すように、施工者は、各係合／係合解除操作板８ｎ，８ｏを手動で操作することにより、各係合／係合解除操作板８ｎ，８ｏと各上脚部１０ａ，１２ａの外側取付部１０ｄ，１２ｄの突出部１０ｅ，１２ｅとの係合を解除した後、補助トレイ８の底部８ａの後方側領域を便器側排出口２ｄと床側排水口Ｄ１との接続可能な位置Ｐ１の高さよりもさらに引き上げられると、各支持部材１０，１２の上脚部１０ａ，１２ａが補助トレイ８の各取付部８ｈ，８ｊから脱落した後、各支持部材１０，１２は、その自重により補助トレイ８の外側へ倒れ込み、外部に取り外された離脱状態Ｓ１０５となる。
つぎに、図１４の（Ｇ）に示すように、便器本体２ａの便器側排出口２ｄは、便器本体２ａの自重と共に押し下げられるため、床側排水口Ｄ１に接続された状態（第３施工状態）Ｓ１０６に容易に設定することができる。
また、図１４の（Ｇ）に示す状態Ｓ１０６の後、図１４の（Ｈ）に示すように、底トレイ６、補助トレイ８、及びスライド用部材１１４の全体について、便器本体２ａの前方側に完全に撤去することにより、施工が完了した状態Ｓ１０７となる。
これらの結果、床置き式の水洗大便器２を設置場所の床面Ｆに設置する施工を行う際には、例えば、陶器製の便器本体２ａの外形が比較的大きく、５０ｋｇ〜６０ｋｇ程度の比較的重い重量であることに加えて、便器本体２ａの外観面が上下方向の中間部Ｍ付近から下方に向かって窄まる意匠性の高い滑らかな曲面形状からなる外観を有する陶器製の便器本体２ａであっても、特に、図１４の（Ｂ）に示す施工開始状態Ｓ１０１後、補助トレイ８及び便器本体２ａを後方側に押し込んだ後に傾斜させた状態Ｓ１０２（図１４の（Ｃ）参照）に設定し、その後、スライド用部材１１４を後方側に転がすだけで、図１４の（Ｄ）〜（Ｆ）に示す状態Ｓ１０３〜Ｓ１０５を経て、図１４の（Ｇ）に示す接続状態Ｓ１０６までの施工状態に容易に設定することができる。
したがって、外形が比較的大きく重量がある陶器製の便器本体２ａを持ち上げる作業負担を可能な限り軽減することができ、施工作業を容易に行うことができる。
【符号の説明】
【００４８】
１    便器施工用補助部材
２    床置き式の水洗大便器（大便器）
２ａ  便器本体
２ｂ  便座
２ｃ  便蓋
２ｄ  便器側排出口
２ｅ  便器本体の側壁の下端部
４    便器梱包用箱の外装材
６    底トレイ
８    補助トレイ
８ａ  補助トレイの底部
８ｂ  補助トレイの左側壁部
８ｃ  補助トレイの右側壁部
８ｄ  補助トレイの手持ち用の把持穴（把持部）
８ｅ  補助トレイの手持ち用の把持穴（把持部）
８ｆ  補助トレイの底部の支点部
８ｇ  補助トレイの底部の傾斜部
８ｈ  左側取付部
８ｉ  右側取付部
８ｊ  左側取付部の内側取付穴
８ｋ  左側取付部の外側取付穴
８ｌ  右側取付部の内側取付穴
８ｍ  右側取付部の外側取付穴
８ｎ  左側取付部の係合／係合解除操作板（係合解除操作部）
８ｏ  右側取付部の係合／係合解除操作板（係合解除操作部）
８ｐ  手指挿入用の挿入穴（係合解除操作部）
８ｑ  手指挿入用の挿入穴（係合解除操作部）
８ｒ  位置決め部
１０    左側支持部材（支持部材）
１０ａ  上脚部
１０ｂ  下脚部
１０ｃ  内側取付部
１０ｄ  外側取付部
１０ｅ  外側取付部の突出部
１０ｆ  下脚部の下端部
１２    右側支持部材（支持部材）
１２ａ  上脚部
１２ｂ  下脚部
１２ｃ  内側取付部
１２ｄ  外側取付部
１２ｅ  外側取付部の突出部
１２ｆ  下脚部の下端部
１４    左側スライド用部材（スライド用部材）
１４ａ  下側板部材
１４ｂ  下中間板部材
１４ｃ  上中間板部材
１４ｄ  上側板部材
１６    右側スライド用部材（スライド用部材）
１６ａ  下側板部材
１６ｂ  下中間板部材
１６ｃ  上中間板部材
１６ｄ  上側板部材
１８    基部トレイ
１８ａ  基部トレイの底部
１８ｂ  基部トレイの左側壁部
１８ｃ  基部トレイの右側壁部
１８ｄ  基部トレイの左側壁部の手掛け用の前側把持穴
１８ｅ  基部トレイの右側壁部の手掛け用の前側把持穴
１８ｆ  基部トレイの左側壁部の手掛け用の後側把持穴
１８ｇ  基部トレイの右側壁部の手掛け用の後側把持穴
２０    着脱トレイ
２０ａ  着脱トレイの底部
２０ｂ  着脱トレイの後壁部
２２    排水管部材
１００    便器施工用補助部材
１１０    支持部材
１１４    スライド用部材（管部材）
Ａ１  補助トレイの支点部の中心軸線
Ｂ１  左側支持部材の伸長時の下脚部の背面
Ｂ２  右側支持部材の伸長時の下脚部の背面
Ｂ３  左側支持部材の上脚部の背面
Ｂ４  右側支持部材の上脚部の背面
Ｃ    説明書
Ｄ１  床側排水口
Ｆ    床面
ｆ１  力
Ｍ    大便器の便器本体の上下方向の中間部
Ｐ１  接続可能な位置
Ｒ１  切欠き領域
Ｒ２  切欠き領域
Ｓ０  施工開始前状態
Ｓ１  施工開始状態（第１施工状態）
Ｓ２  下脚部が立脚した状態
Ｓ３  補助トレイ及び水洗大便器を傾斜させたままの状態、移動状態（第２施工状態）
Ｓ４  係合解除状態、離脱した状態
Ｓ５  接続状態（第３施工状態）
Ｓ６  前方移動状態
Ｓ７  施工完了状態
Ｓ１００  施工開始前状態
Ｓ１０１  施工開始状態
Ｓ１０２  傾斜状態（第１施工状態）
Ｓ１０３  立脚した状態
Ｓ１０４  移動状態（第２施工状態）
Ｓ１０５  係合解除状態、離脱した状態
Ｓ１０６  接続状態（第３施工状態）
Ｓ１０７  施工完了状態
【図１】
2018079955.tif 000003
【図２】
2018079955.tif 000004
【図３】
2018079955.tif 000005
【図４】
2018079955.tif 000006
【図５】
2018079955.tif 000007
【図６】
2018079955.tif 000008
【図７】
2018079955.tif 000009
【図８】
2018079955.tif 000010
【図９】
2018079955.tif 000011
【図１０】
2018079955.tif 000012
【図１１】
2018079955.tif 000013
【図１２】
2018079955.tif 000014
【図１３】
2018079955.tif 000015
【図１４】
2018079955.tif 000016